(57)【特許請求の範囲】
【請求項１】
橇の横・後ろを囲み、橇の取り付け取り外しを可能とし、橇を押すための取手、手摺を付けたワンタッチ切り替え式車輪付き橇本体（６）と、車輪・踏み板をつけた車輪切り替えコントロールシャフト（７）を設け、（６）と（７）を前部プレート（８）及び裏面にストッパーの曲面に沿って移動するための長いネジ（１４）、もう一方にストッパーに固定したネジ（１５）及び長円形の穴（１３）を設けた後部プレート（１２）で繋げたワンタッチ切り替え式車輪付き橇
【請求項２】
子供たちが橇を用いて，山や坂で遊ぶときは（図６）の橇を外して滑って遊ぶ事ができる請求項１記載のワンタッチ切り替え式車輪付き橇。
【発明の詳細な説明】
【技術分野】
【０００１】
本発明は，冬期間橇に子供を乗せて外出するときに，途中で雪が融けている場所では車輪に切り替えて，橇・車輪交互に自由に切り替えながら移動できる橇に関する。
【背景技術】
【０００２】
従来，橇に子供や荷物を乗せて雪の路上を移動してきたが，ロードヒーティングで雪が融けて舗装が見えている場所でも，そのまま引いて橇の底を短時間で破損させてしまう。
これらの問題を解決するために，橇と車輪の切り替えを開発した。橇と車輪の切り替えは他にも提案されたものがある。
【先行技術文献】
【特許文献】
【０００３】
【特許文献１】特許４２４３７６３号広報ＤＢ
【発明の概要】
【発明が解決しようとする課題】
【０００４】
従来の橇は，次のような点を解決すべきと考える。
街の中を橇に子供を乗せて紐で引っ張って移動してきたが，子供の安全のために取手を押す形が望ましい。又，橇から車輪に，車輪から橇に簡単にその都度切り替えられる構造にすることは安全性と便利性から何とかしなければならない課題と考える。
【課題を解決するための手段】
【０００５】
課題を解決するために本発明は，以下の構成とした。
積雪のある歩道で合成樹脂の橇に子供を乗せて紐を引っ張り走行するが，雪国の真冬であっても，歩道は全て一律ではなく，傾斜になっている場所では子供を乗せた橇は転んでしまう。子供と目的地に到着するためには，安全のために紐を引くのではなく，図１のように取手を押しながら子供の安全を自分の目で見ながら移動すべきであり又，ビルの前の歩道はロードヒーティングで雪が融けている場所も少なくないので，そんな場所では，橇走行から車輪走行にワンタッチで切り替え，又雪の歩道になったら車輪走行から橇走行に簡単に切り替えられる構造とした。
【発明の効果】
【０００６】
本発明は，以下の効果を有する。
（１）冬季の積雪時に歩道などで子供を乗せた橇を押して，移動するために，自分の目で常に子供の安全を見ながら移動できる。
（２）橇から車輪に，車輪から橇にワンタッチで切り替えが自由に出来るので便利である。
（３）山や坂を橇で滑って遊びたいときは，図６のように橇を簡単に取り外し自由に遊ぶ事ができる。
（４）車輪走行に切り替えて，夏でも買い物などの運搬具としても使用できる。
【図面の簡単な説明】
【０００７】
【図１】ワンタッチ切り替え式車輪付き橇斜視図
【図２】橇に切り替え後の側面図
【図３】車輪に切り替え後の側面図
【図４】橇に切り替え後の踏み板説明図
【図５】車輪に切り替え後の踏み板説明図
【図６】橇を外した橇単体説明図
【図７】ストッパー拡大説明図
【図８】車輪
【図９】後部プレートの側面図及び背面図
【発明を実施するための形態】
【０００８】
以下本発明の実施形態について説明する。
二本のシャフト（６）（７）の上のシャフト（６）は橇の横・後ろ部分を囲み、橇を取り付け、取り外し可能とした。また橇を押すための取手（３）と子供が乗った時掴まれるように手摺（９）を取り付けた。これは子供が上下のシャフトに手を挟まないようにする意味もある。これらのことから（６）をワンタッチ切り替え式車輪付き橇本体とした。
下のシャフト（７）には前部に方向転換を可能とする車輪（１）と後部には前後方向のみ走行可能な車輪（２）及び背部に踏み板（５）を取り付ける。このことにより下のシャフトを車輪切り替えコントロールシャフトとした。
【０００９】
この二本のシャフト（６）（７）を前後二本のプレート（８）（１２）で繋げ、この前後二本のプレートを立てたり倒したりすることにより、上下二本のシャフト（６）（７）の間隔が広がったり縮まったりする。このことを利用し、車輪と橇を切り替えることが出来る。
前部プレート（８）の二本のネジは本体とコントロールシャフトに前後に倒れることを可能とする緩さで留め付ける。
後部プレート（１２）の二本のネジ（１４）（１５）のうち（１４）は裏面に長く延びるものとし、これがストッパーの曲面に沿って移動し車輪時にはストッパー（１０）の溝に落ち込むことにより車輪での走行を可能とした。
【００１０】
車輪から橇に移行する時は、踏み板（５）を踏み、取手（３）を上方に持ち上げ、（１４）がストッパー（１０）から外れ、前方に移行することにより、前後のプレート（８）（１２）が倒れて、橇として使用が可能となる。
橇から車輪へ移行する時は、踏み板（５）を踏み、取手（３）を上方に持ち上げながら手前に引き、（１４）がストッパー（１０）に落ち込むのを確認して車輪を使って走行する。
後部プレートの長円形の穴（１３）はガイドネジ（１４）がストッパーの曲面を移動しやすいように、可動式とするためのものである。
【産業上の利用可能性】
【００１１】
雪の多い北国では、冬季間の買い物に車輪のついたカートを使用するのは、雪に車輪がとられて困難である。台車を使用して荷物を運搬する運送会社でも大変難儀をしているのを見かける。本発明は車輪と橇の切り替え装置に関するものなので、車輪と橇を入れ替えると車輪で走行するカート・台車にワンタッチでスキー状のものを取り付ければ  車輪を通常使用するものも、橇として走行可能となる。大型スーパーでの多量の買い物もカートを用いて車まで運べるので、喜ばれると思われる。
【符号の説明】
【００１２】
（１）前輪      
（２）後輪      
（３）取手
（４）そり
（５）切り替え踏み板
（６）上のシャフト  ワンタッチ切り替え式車輪付き橇本体  
（７）下のシャフト  車輪切り替えコントロールシャフト    
（８）前部プレート
（９）手摺
（１０）車輪切り替えストッパー
（１１）橇の紐
（１２）後部プレート
（１３）長円形の穴
（１４）裏面がガイドになっているネジ
（１５）ストッパーに固定されているネジ
【要約】
【課題】雪道を橇に子供を乗せて引っ張って歩いても，道路が傾斜になっていると子供を乗せた橇は転んでしまうこともあり，また雪が融けている場所では橇が重く底が傷つき破損してしまうため，安全のため子供を自分の目で観察しながら橇を押して必要に応じて切り替え
が出来るワンタッチ切り替え式車輪付き橇を提供する。
【解決手段】雪道では橇で移動することは，大変楽であるが事故防止のため取手（３）を押して子供の安全を常に自分の目の前で確認しながら移動する構造として。ロードヒーティングなどで雪が融けている路面では，切り替え踏み板（５）を踏みながら取手（３）を軽く上方に引き上げて橇から車輪に切り替え，積雪のある路面では橇にその都度ワンタッチで切り替えて使用する事が出来ることを特徴とする。
【選択図】図１【図１】
0005174261.tif 000002
【図２】
0005174261.tif 000003
【図３】
0005174261.tif 000004
【図４】
0005174261.tif 000005
【図５】
0005174261.tif 000006
【図６】
0005174261.tif 000007
【図７】
0005174261.tif 000008
【図８】
0005174261.tif 000009
【図９】
0005174261.tif 000010